(57)【要約】【課題】縦形ケースと螺旋スロープとの固定の適正化と、小さな横幅で球の貯蔵量の多量化とを図る。【解決手段】螺旋スロープ５における中心棒３の端部には周面より内部に窪む被係合部１８；１９が形成される。縦形ケース２を構成する竹を２つに割ったような格好で左右に２分割された半円筒ケース２１；２２の内面には凸状の係合部２３；２４が個別に形成される。そして、２つの半円筒ケース２１；２２が組み合わされる場合において、螺旋スロープ５が半円筒ケース２１；２２の内部に取り込まれる格好で、被係合部１８；１９と係合部２３；２４とが互いに嵌め合わされることで、螺旋スロープ５の中心棒３と縦形ケース２とが互いに固定される。【選択図】        図１
2004201837.tif 000002
【特許請求の範囲】
【請求項１】
中心棒の外側に螺旋羽根を固定的に備えた螺旋スロープが縦割りされた２つの半円筒ケースからなる縦形ケースの内部に格納されることによって縦形ケースの内部に上下方向に延びた縦形球樋であって、中心棒に被係合部を形成し、半円筒ケースの内面に係合部を形成し、これら被係合部と係合部とが互いに嵌め合わされることで、螺旋スロープの中心棒と縦形ケースとが互いに固定されたことを特徴とする縦形球樋。
【請求項２】
中心棒の外側に螺旋羽根を固定的に備えた螺旋スロープが縦割りされた２つの半円筒ケースからなる縦形ケースの内部に格納されることによって縦形ケースの内部に上下方向に延びた縦形球樋であって、螺旋羽根の外周縁に被係合部を形成し、半円筒ケースの内面に係合部を形成し、これら被係合部と係合部とが互いに嵌め合わされることで、螺旋スロープの螺旋羽根と縦形ケースとが互いに固定されたことを特徴とする縦形球樋。
【発明の詳細な説明】
【０００１】
【発明の属する技術分野】
本発明は、遊技媒体に球を使用する遊技機や貸出機における球払出装置に球を供給する縦形球樋に関する。
【０００２】
【従来の技術】
従来のパチンコ機においては、遊技機設置設備の補給系統から供給された球を縦形球樋を経由して球払出装置に供給し、球払出装置の球払出動作で球をパチンコ機の前側に設けられた受皿に供給するようになっている（例えば、特許文献１参照）。
【０００３】
【特許文献１】
特開平１０−３２３４３７号公報（第１頁、要約、図２）
【０００４】
【発明が解決しようとする課題】
しかしながら、前記従来例は縦形球樋の内部に形成された蛇行球通路が球を左右に蛇行させながら流下させていく構造であるため、払出機構の球受入部分の位置によって蛇行球通路を周方向に旋回させて配置しなければ縦形球樋と払出機構とが適切に連結できず、縦形球樋の設置スペースが周辺の払出制御装置などの配置を圧迫してしまうという問題点があった。これを解決するために、縦形ケースの内部に螺旋スロープを形成した縦形球樋も考えられるが、螺旋スロープが縦形ケースの内部で回転すると、球の入口部分と球の出口部分とにおいて、螺旋スロープの始端の位置と終端の位置とが微妙に狂うのでにわかに採用しがたいものである。
【０００５】
そこで、本発明は、縦形ケースと螺旋スロープとの固定を適切に図ることで、小さな横幅で球貯蔵量を多くすることができる縦形球樋を提供するものである。
【０００６】
【課題を解決するための手段】
本発明にあっては、中心棒の外側に螺旋羽根を固定的に備えた螺旋スロープが縦割りされた２つの半円筒ケースからなる縦形ケースの内部に格納されることによって縦形ケースの内部に上下方向に延びた縦形球樋であって、中心棒に被係合部を形成し、半円筒ケースの内面に係合部を形成し、これら被係合部と係合部とが互いに嵌め合わされることで、螺旋スロープの中心棒と縦形ケースとが互いに固定されたことにより、または、中心棒の外側に螺旋羽根を固定的に備えた螺旋スロープが縦割りされた２つの半円筒ケースからなる縦形ケースの内部に格納されることによって縦形ケースの内部に上下方向に延びた縦形球樋であって、螺旋羽根の外周縁に被係合部を形成し、半円筒ケースの内面に係合部を形成し、これら被係合部と係合部とが互いに嵌め合わされることで、螺旋スロープの螺旋羽根と縦形ケースとが互いに固定されたことにより、螺旋スロープが縦形ケースの内部で回転しないので、縦形ケースに形成された球の入口部分と球の出口部分とに対し、螺旋スロープの始端の位置と終端の位置とを整合させることができる。
【０００７】
【発明の実施の形態】
図１−図３は第１実施形態であって、図１は縦形球樋１の分解した外観を示し、図２は縦形球樋１の縦方向に切断した断面を示し、図３のａ図は縦形球樋１を横方向に切断した断面を示し、図３のｂ図は図３のａ図をＢ−Ｂ線で切断した断面を示す。
【０００８】
図２において、縦形球樋１は円筒状の縦形ケース２の内部に上下方向に延びる中心棒３を固定的に備え、中心棒３の外側にスクリューのように螺旋羽根４を固定的に備えたことにより、縦形ケース２の内部に上下方向に中心棒３を中心とする螺旋スロープ５が形成される。
【０００９】
縦形ケース２の上部には球取入口６を備える。球取入口６には縦形球樋１に球Ｐを供給する例えば図外の遊技機設置設備の補給系統の球供給口または遊技機のタンク１１から供給された球Ｐを螺旋スロープ５に導入する。球取入口６には図外の球供給口またはタンク１１の球排出口部１５が縦形ケース２の外側より内側に挿入されて螺旋羽根４の上端部に球Ｐを平面視一列で滑らかに流すように連なる。縦形ケース２の下部には螺旋スロープ５から球払出装置１２に球Ｐを導出する球排出口７を備える。球排出口７では螺旋羽根４の下端部が球払出装置１２の球取入口部１６に球Ｐを滑らかに流すように連なる。上側の螺旋羽根４と下側の螺旋羽根４との間における上下間隔は二個以上の球Ｐが上下に並ぶ複列を成して上から下へ流れる寸法である。螺旋羽根４と縦形ケース２との間の図３の隙間８は一個の球Ｐの直径よりも小寸法である。
【００１０】
図１において、螺旋スロープ５における中心棒３の端部には周面より内部に窪む被係合部１８；１９が形成される。縦形ケース２は竹を２つに割ったような格好で左右に２分割された半円筒ケース２１；２２を備える。一方の半円筒ケース２１の分割面と他方の半円筒ケース２２の分割面とが互いに合わされた格好で２つの半円筒ケース２１；２２が組み合わされることによって、単一の縦形ケース２が構成される。２つの半円筒ケース２１；２２の内面には凸状の係合部２３；２４が個別に形成される。そして、２つの半円筒ケース２１；２２が組み合わされる場合において、螺旋スロープ５が半円筒ケース２１；２２の内部に取り込まれる格好で、被係合部１８；１９と係合部２３；２４とが図３にも示すように互いに嵌め合わされることで、螺旋スロープ５の中心棒３と縦形ケース２とが互いに固定される。
【００１１】
本実施形態の構造によれば、縦形ケース２の内部に形成された複数条の螺旋スロープ５はタンク１１から供給された球Ｐを複列で球払出装置１２の方向に自然流下式に誘導する。このように螺旋スロープ５が球Ｐを上下方向に延びる中心の周りを旋回するように複列で誘導することから、縦形球樋１の横幅つまり縦形ケース２の横幅を小さく形成しても、球Ｐが螺旋スロープ５に沿って恰も前後左右に蛇行を描くような形態であるので、必然的に縦形球樋１での球貯蔵量が多くなる。
【００１２】
特に、中心棒３に設けた被係合部１８；１９と縦形ケース２に設けた係合部２３；２４とが互いに嵌め合わされることで、螺旋スロープ５の中心棒３と縦形ケース２とが適切に固定され、螺旋スロープ５が縦形ケース２の内部で回転しないので、縦形ケース２に形成された球の入口部分である球取入口６と球の出口部分である球排出口７とに対し、螺旋スロープ５の始端の位置と終端の位置とを整合させることができる。
【００１３】
図４は第２実施形態に係る縦形ケース２と螺旋スロープ５との固定構造を示し、ａ図は横方向断面を示し、ｂ図はａ図のＣ−Ｃ線の断面を示す。図４において、螺旋スロープ５における螺旋羽根４の外周縁には凸状の被係合部２８；２９が形成される。２つの半円筒ケース２１；２２の内面には凹状の係合部３３；３４が個別に形成される。そして、２つの半円筒ケース２１；２２が組み合わされる場合において、螺旋スロープ５が半円筒ケース２１；２２の内部に取り込まれる格好で、被係合部２８；２９と係合部３３；３４とが互いに嵌め合わされることで、螺旋スロープ５の中心棒３と縦形ケース２とが互いに固定される。
【００１４】
つまり、螺旋羽根４に設けた被係合部２８；２９と縦形ケース２に設けた係合部３３；３４とが互いに嵌め合わされることで、螺旋スロープ５の螺旋羽根４と縦形ケース２とが適切に固定され、螺旋スロープ５が縦形ケース２の内部で回転しないので、縦形ケース２に形成された球の入口部分である球取入口６と球の出口部分である球排出口７とに対し、螺旋スロープ５の始端の位置と終端の位置とを整合させることができる。
【図面の簡単な説明】
【図１】第１実施形態の縦形球樋を示す分解斜視図。
【図２】第１実施形態の縦形球樋を示す縦断面図。
【図３】第１実施形態の嵌め合い構造を示し、ａ図は横断面図、ｂ図はａ図のＢ−Ｂ線断面図。
【図４】第２実施形態の嵌め合い構造を示し、ａ図は横断面図、ｂ図はａ図のＣ−Ｃ線断面図。
【符号の説明】
１  縦形球樋、２  縦形ケース、３  中心棒、４  螺旋羽根、
５  螺旋スロープ、２１；２２  半円筒ケース、
１８；１９；２８；２９  被係合部、２３；２４；３３；３４  係合部。
【図１】
2004201837.tif 000003
【図２】
2004201837.tif 000004
【図３】
2004201837.tif 000005
【図４】
2004201837.tif 000006